(57)【要約】【課題】システムの状態やユーザーの使い勝手に関わらず、データ転送用の通信インターフェースが設定される。【解決手段】転送データの送信側又は受信側の電子機器側に、相手側の電子機器で使用可能な通信インターフェースを受信する相手側インターフェース情報受信機能と、相手側の電子機器で使用可能な通信インターフェースと自機で使用可能な通信インターフェースとを比較し、両機に共通する通信インターフェースを検出する共通インターフェース検出機能と、両機に共通する通信インターフェースの一つを転送データの通信用インターフェースに設定して相手側の電子機器に通知する通信インターフェース設定機能とを搭載する。【選択図】図４
2008204210.tif 000002
【特許請求の範囲】
【請求項１】
転送データを受信する電子機器側に搭載される通信用インターフェース相互設定装置において、
送信側の電子機器で使用可能な通信インターフェースの情報を受信する送信側インターフェース情報受信部と、
送信側の電子機器で使用可能な通信インターフェースと自機で使用可能な通信インターフェースとを比較し、両機に共通する通信インターフェースを検出する共通インターフェース検出部と、
両機に共通する通信インターフェースの一つを転送データの通信用インターフェースに設定して送信側の電子機器に通知する通信用インターフェース設定部と
を有することを特徴とする通信用インターフェース相互設定装置。
【請求項２】
請求項１に記載の通信用インターフェース相互設定装置において、
前記通信用インターフェース設定部は、
自機が有する優先順位情報に基づいて、前記通信用インターフェースを設定する
ことを特徴とする通信用インターフェース相互設定装置。
【請求項３】
請求項１に記載の通信用インターフェース相互設定装置において、
前記通信用インターフェース設定部は、
送信側の電子機器から受信した優先順位情報に基づいて、前記通信用インターフェースを設定する
ことを特徴とする通信用インターフェース相互設定装置。
【請求項４】
請求項１に記載の通信用インターフェース相互設定装置において、
前記通信用インターフェース設定部は、
ユーザーが指定入力した順位に基づいて、前記通信用インターフェースを設定する
ことを特徴とする通信用インターフェース相互設定装置。
【請求項５】
転送データを送信する電子機器側に搭載される通信用インターフェース相互設定装置において、
受信側の電子機器で使用可能な通信インターフェースの情報を受信する受信側インターフェース情報受信部と、
受信側の電子機器で使用可能な通信インターフェースと自機で使用可能な通信インターフェースとを比較し、両機に共通する通信インターフェースを検出する共通インターフェース検出部と、
両機に共通する通信インターフェースの一つを転送データの通信用インターフェースに設定して受信側の電子機器に通知する通信用インターフェース設定部と
を有することを特徴とする通信用インターフェース相互設定装置。
【請求項６】
請求項５に記載の通信用インターフェース相互設定装置において、
前記通信用インターフェース設定部は、
自機が有する優先順位情報に基づいて、前記通信用インターフェースを設定する
ことを特徴とする通信用インターフェース相互設定装置。
【請求項７】
請求項５に記載の通信用インターフェース相互設定装置において、
前記通信用インターフェース設定部は、
受信側の電子機器から受信した優先順位情報に基づいて、前記通信用インターフェースを設定する
ことを特徴とする通信用インターフェース相互設定装置。
【請求項８】
請求項５に記載の通信用インターフェース相互設定装置において、
前記通信用インターフェース設定部は、
ユーザーが指定入力した順位に基づいて、前記通信用インターフェースを設定する
ことを特徴とする通信用インターフェース相互設定装置。
【請求項９】
通信開始後は転送データの受信側として機能する電子機器であって、
送信側の電子機器で使用可能な通信インターフェースの情報を受信する送信側インターフェース情報受信部と、
送信側の電子機器で使用可能な通信インターフェースと自機で使用可能な通信インターフェースとを比較し、両機に共通する通信インターフェースを検出する共通インターフェース検出部と、
両機に共通する通信インターフェースの一つを転送データの通信用インターフェースに設定して送信側の電子機器に通知する通信用インターフェース設定部と
を有することを特徴とする電子機器。
【請求項１０】
通信開始後は転送データの送信側として機能する電子機器であって、
受信側の電子機器で使用可能な通信インターフェースの情報を受信する受信側インターフェース情報受信部と、
受信側の電子機器で使用可能な通信インターフェースと自機で使用可能な通信インターフェースとを比較し、両機に共通する通信インターフェースを検出する共通インターフェース検出部と、
両機に共通する通信インターフェースの一つを転送データの通信用インターフェースに設定して受信側の電子機器に通知する通信用インターフェース設定部と
を有することを特徴とする電子機器。
【請求項１１】
通信開始後は転送データの受信側として機能する電子機器の通信用インターフェース相互設定方法において、
送信側の電子機器で使用可能な通信インターフェースの情報を受信する処理と、
送信側の電子機器で使用可能な通信インターフェースと自機で使用可能な通信インターフェースとを比較し、両機に共通する通信インターフェースを検出する処理と、
両機に共通する通信インターフェースの一つを転送データの通信用インターフェースに設定して送信側の電子機器に通知する処理と
を有することを特徴とする通信用インターフェース相互設定方法。
【請求項１２】
通信開始後は転送データの送信側として機能する電子機器の通信用インターフェース相互設定方法において、
受信側の電子機器で使用可能な通信インターフェースの情報を受信する処理と、
受信側の電子機器で使用可能な通信インターフェースと自機で使用可能な通信インターフェースとを比較し、両機に共通する通信インターフェースを検出する処理と、
両機に共通する通信インターフェースの一つを転送データの通信用インターフェースに設定して受信側の電子機器に通知する処理と
を有することを特徴とする通信用インターフェース相互設定方法。
【請求項１３】
通信開始後は転送データの受信側として機能する電子機器に搭載されるコンピュータに、
送信側の電子機器で使用可能な通信インターフェースの情報を受信する処理と、
送信側の電子機器で使用可能な通信インターフェースと自機で使用可能な通信インターフェースとを比較し、両機に共通する通信インターフェースを検出する処理と、
両機に共通する通信インターフェースの一つを転送データの通信用インターフェースに設定して送信側の電子機器に通知する処理と
を実行させることを特徴とするコンピュータプログラム。
【請求項１４】
通信開始後は転送データの送信側として機能する電子機器に搭載されるコンピュータに、
受信側の電子機器で使用可能な通信インターフェースの情報を受信する処理と、
受信側の電子機器で使用可能な通信インターフェースと自機で使用可能な通信インターフェースとを比較し、両機に共通する通信インターフェースを検出する処理と、
両機に共通する通信インターフェースの一つを転送データの通信用インターフェースに設定して受信側の電子機器に通知する処理と
を実行させることを特徴とするコンピュータプログラム。
【発明の詳細な説明】
【技術分野】
【０００１】
この明細書で説明する発明は、電子機器間の通信で使用する通信インターフェースの設定技術に関する。
なお、発明は、通信用インターフェース相互設定装置、電子機器、通信用インターフェース相互設定方法及びコンピュータプログラムとしての側面を有する。
【背景技術】
【０００２】
近年、エネルギー問題及び環境問題に対する関心が高まっている。この関心を背景として、日常生活で用いられる電子機器等の消費電力の低減化が一層求められている。このため、多くの電子機器には、電源投入後の不使用状態を検出して、不要な回路等に対する電力の供給を自動的に遮断する低消費動作モードが搭載されている。
【０００３】
例えば印刷装置、ＦＡＸ機等の画像形成装置においては、いかなる入力信号も検出されない状態が一定時間以上経過すると、自動的に低消費電力モードに移行する。低消費電力モードでは、外部機器との通信に使用する回路を除き、不要な回路に対する電源の供給をオフ制御する。なお、外部機器より復帰信号や画像データ等が受信された場合には、各回路に供給する電源の供給が再開される。これにより、画像の形成が可能な状態になる。
【０００４】
しかし、デジタル画像技術の進歩と共に、電子機器には様々な通信形態や通信規格への対応が求められている。このため、昨今の電子機器には、外部機器との通信用に複数のハードウェアインターフェース（以下、「通信インターフェース」という。）が搭載されている。
ところで、低消費電力モードから通常動作モードへの復帰は、外部機器から復帰信号として与えられることがある。
【０００５】
このため、低消費電力モード中も、外部機器との通信に使用される通信インターフェースに対する電力の供給を継続する仕組みが多くの電子機器で採用されている。図１に、低消費電力モード時における電力の供給態様を示す。
【０００６】
なお、図１は、電子機器が印刷装置の場合である。図１に示す印刷装置１の場合には、低消費電力モード時にオン状態にある回路部分を白抜きで表している。また、低消費電力モード時にオフ状態にある回路部分を網掛けで表している。
【特許文献１】特開２００５−１９６７４１号公報
【発明の開示】
【発明が解決しようとする課題】
【０００７】
ところで、低消費電力モードからの復帰後に実行されるデータ転送では、一般に、電子機器が搭載する複数の通信インターフェースのうち実効転送速度の速いものが選択的に用いられる。なお、データ転送の開始後は、転送データの転送が終了するまで、同じ通信インターフェースを使用し続けるのが一般的である。
【０００８】
ところで、実際のデータ転送動作では、データ転送中に通信エラーが発生する場合や実効転送速度が上がらない場合がある。しかし、データ転送が完了するまで同じ通信インターフェースを使用し続ける必要があった。
【０００９】
また例えば、実際のデータ転送では、同じＵＷＢ無線通信方式を用いる通信インターフェースが複数搭載されている場合がある。この場合、復帰信号を受信した通信インターフェースを引き続き使用してデータ転送が開始される。このような場合に、より実効転送速度が高い通信インターフェースをデータ転送に用いるには、何らかのネゴシエーションを実行する必要がある。
【００１０】
また、多くの場合、実効転送速度に基づいてデータ転送に使用する通信インターフェースを選択する。しかし、データ転送に適する通信インターフェースは、システムの状態やユーザーの使用形態によって変化する。このため、データ転送に使用する通信インターフェースは可変的に設定されることが望ましい。
【課題を解決するための手段】
【００１１】
（Ａ）解決手段１
そこで、発明者は、転送データを受信する電子機器側に、以下の処理機能を有する通信用インターフェース相互設定装置を搭載することを提案する。ここでの処理機能は、送信側インターフェース情報受信機能と、共通インターフェース検出機能と、通信用インターフェース設定機能である。
【００１２】
送信側インターフェース情報受信機能は、送信側の電子機器で使用可能な通信インターフェースの情報を受信する処理を実行する。
共通インターフェース検出機能は、送信側の電子機器で使用可能な通信インターフェースと自機で使用可能な通信インターフェースとを比較し、両機に共通する通信インターフェースを検出する処理を実行する。
【００１３】
通信用インターフェース設定機能は、両機に共通する通信インターフェースの一つを転送データの通信用インターフェースに設定して送信側の電子機器に通知する処理を実行する。
【００１４】
（Ｂ）解決手段２
また、発明者は、転送データを送信する電子機器側に、以下の処理機能を有する通信用インターフェース相互設定装置を搭載することを提案する。ここでの処理機能は、受信側インターフェース情報受信機能と、共通インターフェース検出機能と、通信用インターフェース設定機能である。
【００１５】
受信側インターフェース情報受信機能は、受信側の電子機器で使用可能な通信インターフェースの情報を受信する処理を実行する。
共通インターフェース検出機能は、受信側の電子機器で使用可能な通信インターフェースと自機で使用可能な通信インターフェースとを比較し、両機に共通する通信インターフェースを検出する処理を実行する。
【００１６】
通信用インターフェース設定機能は、両機に共通する通信インターフェースの一つを転送データの通信用インターフェースに設定して受信側の電子機器に通知する処理を実行する。
【発明の効果】
【００１７】
発明者の提案する手法の採用により、システムの状況や使用態様に応じた通信用インターフェースの設定が可能になる。
【発明を実施するための最良の形態】
【００１８】
以下、発明に係る電子機器の一例を説明する。
なお、本明細書で特に図示又は記載されない部分には、当該技術分野の周知又は公知技術を適用する。
また以下に説明する形態例は、発明の一つの形態例であって、これらに限定されるものではない。
【００１９】
（Ａ）印刷装置
（Ａ−１）印刷装置の構成例
図２に、発明に係る機能を搭載する印刷装置１１１の回路構成例を示す。なお、図２は従来例との違いが明確になるように、同一部分に同一符号を付して表している。
【００２０】
印刷装置１１１の電源は、メイン電源３とサブ電源５を有している。すなわち、２コンバータ方式を採用する。これにより、通常動作モード（通常状態）と低消費電力モード（待機状態）の切り替えが可能である。
【００２１】
メイン電源３は、印刷装置１１１の各部に電力を供給する電源である。メイン電源３は、動作状態が通常状態から待機状態に移行する場合、各部に対する電力の供給を停止する。なお、図２では、通常動作モード中に電力が供給される回路部分を白抜きで示す。
【００２２】
サブ電源５は、低消費電力モード時に特定の回路部分にのみ電力を供給する電源である。すなわち、サブ電源５は、動作状態が通常状態から待機状態に移行すると、待機時用ＣＰＵ１１３と復帰用インターフェースにのみ電力を供給する。図２では、通常動作モード中にオフ動作される回路部分を網掛けにより示す。
【００２３】
なお、図２では通常動作モード中において、サブ電源５が待機時用ＣＰＵ１１３への電力供給を停止することを図示しているが、通常モード中においてもサブ電源５が待機時用ＣＰＵ１１３への電力供給を続けてもかまわない。
【００２４】
印刷装置１１１は、制御回路として、待機時用ＣＰＵ１１３と通常状態用のメインＣＰＵ１１５を搭載する。いずれのＣＰＵも、ＲＡＭとＲＯＭを内蔵する。
このうち、待機時用ＣＰＵ１１３は、ＲＡＭ及びＲＯＭを内蔵したワンチップＣＰＵで構成されるのが好ましい。
【００２５】
待機時用ＣＰＵ１１３は、待機状態中の復帰指示が検出されたとき、メイン電源３を立ち上げるのに用いられる。メイン電源３の立ち上げにより、メインＣＰＵ１１５が起動され、装置内の各回路が通常状態に復帰する。
【００２６】
メインＣＰＵ１１５は、通常状態でのシステム内の動作を制御する。メインＣＰＵ１１５は、復帰用インターフェースの設定機能を提供する。もっとも、待機時用ＣＰＵ１１３が、復帰用インターフェースの設定機能を実現する場合もある。
【００２７】
操作キー１１は、印刷装置の筐体表面等に設けられた操作子で構成される。操作キー１１に対する操作（例えばオン操作又はオフ操作）は、キー検出回路１３が検出する。操作キー１１があるので、ホスト装置等によらず直接的な入力操作が可能である。
【００２８】
勿論、低消費電力モード中も、待機時用ＣＰＵ１１３を通じて入力操作を実行できる。なお、操作キー１１とキー検出回路１３の替わりに、タッチパネルとタッチパネル制御回路を搭載することも可能である。
【００２９】
印刷装置１１１は、外部機器との通信に使用する通信用インターフェースとして、Ethernet（登録商標）インターフェース１５、ＵＳＢインターフェース１７、ワイヤレスＵＳＢインターフェース１９、ＩｒＤＡインターフェース２１、赤外線リモコンインターフェース２３及び
Bluetoothインターフェース２５を搭載する。
【００３０】
Ethernet（登録商標）インターフェース１５は、ネットワークに接続された外部機器との間で、各種データを１０Ｍｂｐｓ又は１００Ｍｂｐｓの転送速度で送受信できるハードウェアインターフェースである。
【００３１】
ＵＳＢインターフェース１７及びワイヤレスＵＳＢインターフェース１９は、ＵＳＢケーブル及び無線伝送路を通じて接続された外部機器との間で、各種データを最大４８０Ｍｂｐｓの転送速度で送受信できるハードウェアインターフェースである。
【００３２】
ＩｒＤＡインターフェース２１は、赤外線を通じて接続された外部機器との間で、光無線データを最高４Ｍｂｐｓ（機器間の距離が１ｍ以内の場合）の転送速度で送受信できるハードウェアインターフェースである。
【００３３】
赤外線リモコンインターフェース２３は、赤外線を通じて接続された外部機器との間で、光無線制御コマンドを最高１Ｋｂｐｓ（機器間の距離が１０ｍ以上の場合）の伝送速度で片方向送信できるハードウェアインターフェースである。
【００３４】
Bluetoothインターフェース２５は、２．４５ＧＨｚ帯の電波を利用して接続された外部機器との間で、各種データを最大３Ｍｂｐｓ（機器間の距離が１０ｍ以内の場合）の転送速度で送受信できるハードウェアインターフェースである。
【００３５】
なお、前述した伝送速度は出願時の値である。従って、今後の技術の発展によっては、通信インターフェースの転送速度は異なる値となる。
また、図２で例示した通信インターフェースは一例であり、その他の通信インターフェースを搭載することもできる。
【００３６】
例えばフラッシュメモリ等の外部記憶媒体を読み書き対象とするカードリーダー装置（不図示）を通信インターフェースとして搭載しても良い。この場合、カードリーダー装置に対する外部記憶媒体の挿入を待機時用ＣＰＵ１１３が検出し、メイン電源３を立ち上げるように制御する。
【００３７】
また例えばＣＤ−ＲＯＭ等の外部記憶媒体を再生対象とするドライブ装置（不図示）を通信インターフェースとして搭載しても良い。この場合、ドライブ装置に対する外部記憶媒体の挿入を待機時用ＣＰＵ１１３が検出し、メイン電源３を立ち上げるように制御する。
【００３８】
この他、印刷装置１１１は、印刷システムに特有の回路やデバイスを搭載する。
フラッシュメモリ２７は、ファームウェアの格納に使用される不揮発性の半導体メモリである。
ＳＤＲＡＭ２９は、スプーラを構成する半導体メモリである。
【００３９】
ＳＤＲＡＭ２９は、前述した各種の通信インターフェースを通じて外部装置より受信又は入力された複数の画像データを一時的に保持するのに用いられる。なお、画像処理後の画像データは、印刷データとしてＳＤＲＡＭ２９から印刷ヘッド駆動回路３３を経て印刷ヘッド３５に順次へ送信される。
【００４０】
なお、スプーラ内の画像データはサイクリック・バッファ構成で保持され、最古に受信又は入力された画像データエリアに最新の画像データを上書き記録される。この形態例の場合、画像データが印画用紙に記録された後も、一定時間が経過するまで又は次回入力された画像データが上書き記録されるまではスプーラ内に保持される。
【００４１】
もっとも、スプーラ内の画像データは、ＦＩＦＯ（First In First
Out）構成で保持することもできる。この場合、最新の画像データを記録する際に設定容量を超えるとき、最古に記録された画像データを削除して最新の画像データを保持する。
スプーラ機能の搭載により、ユーザーは、同一画像の再印刷時にも、再び画像データを入力し直す手間を省くことができる。
【００４２】
印刷エンジン３１は、メインＣＰＵ１１５から与えられる制御データに基づいて、印刷ヘッド３５と協働する印刷機構である。すなわち、印刷エンジン３１は、印刷用紙の搬送等を通じて、画像を印刷用紙上に記録する処理を実行する。
【００４３】
（Ａ−２）低消費電力モードへの移行と復帰
ここでは、低消費電力モードへの移行と復帰に関する処理動作を説明する。
【００４４】
（ａ）低消費電力モードへの移行
まず、低消費電力モードへの移行動作について説明する。低消費電力モードへの移行処理は、印刷装置１１１のメインＣＰＵ１１５が制御する。
【００４５】
メインＣＰＵ１１５は、非印刷状態が一定時間継続する場合又はユーザーが指示入力した場合、動作モードを通常動作モードから低消費電力モードに移行する。この際、メインＣＰＵ１１５はメイン電源３を制御し、メインＣＰＵ１１５、ＳＤＲＡＭ２９、印刷エンジン３１、印刷ヘッド３５等に対する電力の供給を停止する。
【００４６】
同時に、メインＣＰＵ１１５はサブ電源５を制御し、待機時用ＣＰＵ１１３、操作キー１１、キー検出回路１３及び復帰用インターフェースに対する電力の供給を開始させる。
電源の切り替えが完了した時点で、印刷装置１１１は、低消費電力モードに完全に移行する。
【００４７】
復帰用インターフェースの設定方法には幾つかの方法がある。
例えば従来手法のように、印刷装置１１１が搭載する全ての通信インターフェースを復帰用インターフェースに設定する方法がある。図２の場合であれば、６個全ての通信インターフェースが復帰用インターフェースに設定される。
【００４８】
また例えば従来手法のように、印刷装置１１１が搭載する全ての通信インターフェースのうち受信系回路にのみ電力を供給する方法がある。この場合、送信系回路にも電力を供給する場合に比して、低消費電力モード中の消費電力を半減できる。
【００４９】
また例えば、事前に設定した１つの通信インターフェースを復帰用インターフェースに設定する方法が考えられる。この場合、電力の供給される通信インターフェースの数が１つで済むので、更なる消費電力の削減効果が期待できる。図３は、ＩｒＤＡインターフェース２１のみを復帰用インターフェースに設定する例である。
【００５０】
ただし、復帰用インターフェースが特定の通信インターフェースに限定されると、使用環境の変化や使用態様の変化等に合致しない可能性がある。
そこで、発明者は、印刷装置１１１の使用環境の変化やユーザーの使用態様等に応じて適切な復帰用インターフェースが設定されるようにする仕組みを提案する。
【００５１】
例えば使用可能な通信インターフェースのうち消費電力が最も小さいものを復帰用インターフェースに設定する手法を提案する。この場合、消費電力の削減効果を最大化できる。
例えば使用頻度の高い通信インターフェースを復帰用インターフェースに設定する手法を提案する。
【００５２】
ここでの使用頻度には、例えば通常動作モード中の使用回数値を通信インターフェース別にカウントして使用する。また、使用頻度には、例えば低消費電力モード中の復帰信号の受信回数を通信インターフェース別にカウントして使用する。
【００５３】
また、使用頻度には、例えば通常動作モード中に実行された印刷回数や印刷枚数の通信インターフェース別のカウント値を使用する。これらの場合、復帰用インターフェースの設定に、ユーザーの使用態様を反映させることができる。このため、ユーザーの使い勝手が良くなる。
【００５４】
この他、使用地域や国の普及情報に基づいて復帰用インターフェースを設定することもできる。地域や国によって、普及している通信インターフェースに違いがあるためである。例えばＥＵ圏では Bluetoothインターフェースが多く使われるのに対し、極東アジア圏ではＩｒＤＡインターフェースが多く使われている。
【００５５】
なお、使用地域等に関する情報は手入力又はＧＰＳ受信機等を用いて取得すれば良い。
この他、ユーザー自身が復帰用インターフェースを設定しても良い。ユーザーが特定の通信インターフェースを用いてネットワークを構成している場合、直接その情報を反映することで印刷装置１１１を確実に復帰させることができる。
【００５６】
（ｂ）低消費電力モードからの復帰
前述したように、低消費電力モード中の印刷装置１１１では、復帰用インターフェースのみが外部機器との通信が可能な状態にある。
この状態でいずれかの外部機器より信号が受信されると、待機時用ＣＰＵ１１３が、復帰用インターフェースに応じたプロトコル処理を実行する。
【００５７】
復帰信号の受信が確認されると、待機時用ＣＰＵ１１３はメイン電源３の立ち上げ処理を実行する。すなわち、メイン電源３による電力の供給を再開する。通常状態への復帰に要する時間は、約０．５秒〜２秒である。
【００５８】
なお、低消費電力モードから通常状態への復帰は、外部装置や操作キー１１に対する指示入力があった場合だけでなく、カードリーダー装置やドライブ装置を通じて画像データ等の入力があった場合にも実行される。この場合、画像データ等の入力が復帰信号としての役割を果たす。
いずれにしても、復帰信号の受信又は入力が無い限り、印刷装置１１１は、低消費電力モードを維持する。
【００５９】
（Ａ−３）通信用インターフェースの相互設定
（ａ）インターフェース情報の内容
通常動作モードに復帰した印刷装置１１１では、搭載する全ての通信インターフェースの利用が可能である。一般には、使用可能な通信インターフェースのうち実効転送速度が最も速いものが自動的に選択され、当該通信インターフェースについて転送データの送受信が実行される。
【００６０】
勿論、このような設定方法も選択可能な方法の一つである。しかし、前述したように、自動的に選択した通信インターフェースによる通信が必ずしも使用環境に適しているとは限らない。
【００６１】
そこで、発明者は、転送データの通信に先立って、一方の電子機器が通信用インターフェースを可変的に設定し、他方に通知する仕組みを提案する。
【００６２】
なお、通信用インターフェースを設定する電子機器は、転送データの送信側の場合もあれば受信側の場合もある。
例えば送信側の電子機器が通信用インターフェースの相互設定処理を実行する場合、送信側の電子機器が、両機に共通する通信インターフェースを検出し、そのうちの一つを通信用インターフェースに設定する。
【００６３】
一方、受信側の電子機器が通信用インターフェースの相互設定処理を実行する場合、受信側の電子機器が、両機に共通する通信インターフェースを検出し、そのうちの一つを通信用インターフェースに設定する。
【００６４】
なお、この形態例では、使用可能な通信インターフェースの種類と、その優先順位（順位付けに使用した優先項目も含む。）とをテーブル化した情報をインターフェース情報として伝送する方式を採用する。
因みに、優先順位は、ある優先項目に対する通信インターフェースの順位情報である。
【００６５】
ここでの優先順位は、電子機器毎に設定されるものとする。従って、２つの電子機器が同じ優先順位を使用するとは限らない。勿論、同じ優先順位を使用する可能性はある。なお、両機の優先順位が一致しない場合、いずれかの優先順位を使用することになる。
【００６６】
なお、いずれの電子機器の優先順位を使用するかは確認できることが望ましい。もっとも、設定処理を実行する側の優先順位を常に優先しても良い。反対に、通信相手の優先順位を常に優先することもできる。
【００６７】
この際、優先項目は複数用意される。使用する優先項目が異なれば、一般に通信インターフェースの順位付けも異なる。優先項目には、「データ転送速度」、「セキュリティ度」、「エラー発生頻度」、「両機器間における認証済みの可否」、「ユーザーの使い勝手に関する情報」等がある。
【００６８】
因みに、「データ転送速度」には、「転送速度の理論値が速い順番に通信インターフェースを順位付ける方法」と「実効転送速度の速い順番に通信インターフェースを順位付ける方法」がある。
【００６９】
また、「セキュリティ度」には、「暗号化処理の複雑さの順番に通信インターフェースを順位付ける方法」と、「暗号化強度の順番に通信インターフェースを順位付ける方法」と、「使用状況に応じたセキュリティ度合いにより選択する方法」とがある。
【００７０】
「使用状況に応じたセキュリティ度合いにより選択する方法」には、例えば無指向性に近い無線電波を使用したワイヤレス通信を選択する場合又は指向性をもつ赤外線通信を選択する場合がある。
【００７１】
また、「エラー発生頻度」には、「エラー補正処理の複雑さの順番に通信インターフェースを順位付ける方法」と「安定的に送信できる順番に通信インターフェースを順位付ける方法」がある。
【００７２】
因みに、「両機器間における認証済みの可否」とは、初回接続時に自機と同じ通信規格をサポートする相手機器との間でのみ以後のデータ転送を認める初期設定が完了しているか否かを示す。例えばワイヤレスＵＳＢインタフェースでは、この種の初期設定が行われる。
【００７３】
また、「ユーザーの使い勝手に関する情報」とは、例えば常時接続によりネットワークを構成する通信インターフェースとは別の通信インターフェースを、データ転送用にユーザーが指定するための情報をいう。
【００７４】
例えばブルートゥースインターフェースで個人的なネットワークを構築している場合やワイヤレスＵＳＢインターフェースで個人的なネットワークを構築している場合に、よりデータ転送速度の速い他の通信インターフェースをユーザーが指定したい場合に使用される。
【００７５】
また例えば、ワイヤレス通信、赤外線通信、優先接続の中でユーザーが優先的に使用したいと望む順番を指定するのに使用される。
なお、相手方に送信する情報には、優先順位の他に、特定の通信インターフェースの使用を強制する情報（強制使用）や不使用を強制する情報（不使用情報）を含めることができる。
【００７６】
（ｂ）通信用インターフェースの設定
以下では、ディジタルカメラが印刷装置１１１を低消費電力モードから復帰させ、続いて相互に設定された通信用インターフェースを通じて画像データ（転送データ）を送信する場合について説明する。
【００７７】
なお、通信用インターフェースは送信側又は受信側が設定し、その設定結果を相手方に通知することにより実行される。そこで、各場合に必要な処理機能と処理動作を個別に説明する。
【００７８】
（ｂ−１）受信側が通信用インターフェースを設定する場合
まず、画像データ（転送データ）の受信側である印刷装置１１１が通信インターフェースを設定し、送信側であるディジタルカメラに通知する場合について説明する。
【００７９】
（１）通信用インターフェース相互設定装置の処理機能
図４に、通信用インターフェース相互設定装置の機能構成例を示す。なお、同機能は、メインＣＰＵで実行されるコンピュータプログラム又は専用の回路デバイスを通じて実現される。
【００８０】
通信用インターフェース相互設定装置１２１は、送信側インターフェース情報受信部１２３、共通インターフェース検出部１２５、通信用インターフェース設定部１２７で構成される。
送信側インターフェース情報受信部１２３は、ディジタルカメラ側のインターフェース情報（通信インターフェースの種類及び優先順位）を受信する処理デバイスである。
【００８１】
なお、ディジタルカメラ側のインターフェース情報は、転送データの送信を求めるディジタルカメラが自立的に通知する場合と、送信側インターフェース情報受信部１２３の要求に対する応答として通知される場合がある。
【００８２】
この形態例の場合、受信側である印刷装置１１１が送信側であるディジタルカメラに自機のインターフェース情報を送信しないものとして説明する。もっとも、両機が相互にインターフェース情報を交換するのを妨げない。
【００８３】
共通インターフェース検出部１２５は、ディジタルカメラで使用可能な通信インターフェースと自機で使用可能な通信インターフェースとを比較し、両機に共通する通信インターフェースを検出する処理デバイスである。なお、各機で使用可能な通信インターフェースは、それぞれ各機が搭載する記憶領域に格納されている。
【００８４】
通信用インターフェース設定部１２７は、両機に共通する通信インターフェースの一つを転送データの通信用インターフェースに設定すると共に、当該通信用インターフェースを送信側のディジタルカメラに通知する処理デバイスである。
【００８５】
なお、通信用インターフェースの設定に用いる優先順位は、送信側の優先順位のみを用いても良いし、受信側の優先順位だけを用いても良い。以下の形態例では、双方の優先順位が一致するように、最初に双方の優先順位を比較する手法を採用する。
【００８６】
（２）両機の優先順位が一致する場合
ここでは、両機の優先順位が一致する場合について、転送データの送受信が開始されるまでの処理動作を説明する。なお、参考までに、印刷装置１１１が低消費電力モードから復帰される時点から説明する。
【００８７】
図５に示すように、画像の印刷を求めるユーザーの操作により、ディジタルカメラ１３１から印刷装置１１１に復帰信号が送信される。なお、図５では、ディジタルカメラ１３１と印刷装置１１１の双方が共通の通信インターフェースを搭載している。搭載する通信インターフェースは、ワイヤレスＬＡＮインターフェース、ワイヤレスＵＳＢインターフェース及びＩｒＤＡインターフェースの３つである。
【００８８】
図５は、復帰信号の送受信に使用する通信インターフェースがワイヤレスＬＡＮインターフェースであるとして表している。ここでは、使用頻度情報に基づいて、ワイヤレスＬＡＮインターフェースが設定されているものとする。
【００８９】
印刷装置１１１では、復帰信号の受信を検出した待機時用ＣＰＵ１１３によりメイン電源３が立ち上げられる。これにより、搭載する各種の通信インターフェースを用いた外部機器とのデータ通信が可能な状態となる。
【００９０】
この時点で、ディジタルカメラ１３１は、自機の備える通信インターフェースの種類に関する情報（すなわち、種類情報）と、通信インターフェースの優先順位に関する情報（すなわち、優先順位）とをテーブル化したインターフェース情報を印刷装置１１１に送信する。
【００９１】
図６に示すように、このインターフェース情報の送信は、復帰信号の送信時と同じワイヤレスＬＡＮインターフェースを用いて実行される。
図７に、インターフェース情報の構造例を示す。図７に示すように、ディジタルカメラ１３１と印刷装置１１１が搭載する各通信インターフェースには、それぞれ同じ優先順位が付されている。
【００９２】
なお、各機の優先順位を決定する優先項目は、「データ転送速度」のうちの「実効転送速度」に設定されている。従って、ワイヤレスＵＳＢインターフェース、ＩｒＤＡインターフェース、ワイヤレスＬＡＮインターフェースの順番に優先順位が付されている。
【００９３】
ディジタルカメラ１３１のインターフェース情報を受信した印刷装置１１１は、自機のインターフェース情報と比較して、両機が共通に備える通信インターフェースを検出する。次に、印刷装置１１１は、優先順位が高い通信インターフェースを比較し、データの送受信インターフェースに決定する。
【００９４】
この形態例の場合、両機の優先順位が同じであるので、メインＣＰＵ１１５は、ワイヤレスＵＳＢインターフェースを通信用インターフェースに決定する。なお、決定された通信用インターフェースは、「インターフェース決定情報」としてディジタルカメラ１３１に通知される。図８に示すように、この通知もワイヤレスＬＡＮインターフェースを用いて実行される。
【００９５】
この後、図９に示すように、ワイヤレスＵＳＢインターフェースを用いた画像データ（転送データ）の送受信がディジタルカメラ１３１と印刷装置１１１の間で実行される。
なお、このように設定された通信用インターフェースを用いて通信を開始した後も、ワイヤレスＵＳＢインターフェースにエラーが発生する場合や通信の混雑により実効転送速度が上がらない場合が起こり得る。このような場合、別の通信インターフェースを用いて画像データを送受信するのが望ましい。
【００９６】
また例えば、図面と一致しない事例であるが、復帰信号の送受信インターフェースにＵＷＢ無線方式のブルートゥースインターフェースが選択されている場合に、画像データの通信用インターフェースには同じＵＷＢ無線方式を用いるワイヤレスＵＳＢインターフェースが設定されることが起こり得る。
【００９７】
画像データ（転送データ）の通信用インターフェースの設定は、インターフェース情報に基づいて実行されるため、このような事態が起こり得る。この設定を有効にすると、標準環境として設定されたブルートゥースインターフェースの使用が中断される。
【００９８】
しかし、標準環境として設定された通信インターフェースの使用を中断することはできない。従って、このような場合には、優先順位が１位のワイヤレスＵＳＢインターフェースではなく、別の通信インターフェースを用いてデータ転送を行う必要が生じる。
【００９９】
このような場合に、発明者の提案する手法は効果を発揮する。すなわち、転送データの通信用インターフェースとして優先順位１位のワイヤレスＵＳＢインターフェースが選択されたとしても、前述した事情が発生した場合には、両機に共通する通信インターフェースのうち優先順位が２位の通信インターフェースを自動的に選択することができる。
【０１００】
図１０に、この場合における通信動作を示す。図１０の場合、印刷装置１１１は、画像データの通信用インターフェースにＩｒＤＡインターフェースを自動的に設定する。この場合も、印刷装置１１１は、決定結果を「インターフェース決定情報」としてディジタルカメラ１３１に一方的に通知する。
【０１０１】
これにより、画像データの送受信は、両機が有する優先順位情報のうちで２番目に優先順位が高い通信インターフェースを用いて実行される。
ここでの特徴点は、両機の間で改めてネゴシエーション処理を実行しなくても、初回時に交換したインターフェース情報を用いて設定処理を実行できる点である。
【０１０２】
ネゴシエーション処理を繰り返さないので通信トラフィックを画像データの転送に多く割り当てることができ、実効転送速度を上げることができる。
また、ネゴシエーション処理を繰り返さない分、画像データの送受信開始までの時間を短縮することも可能になる。
【０１０３】
（３）両機の優先順位が一致しない場合
次に、両機の優先順位が一致しない場合について、転送データの送受信が開始されるまでの処理動作を説明する。
この形態例の場合、自機（すなわち、印刷装置１１１）の優先順位を適用し、転送データの通信用インターフェースを設定する。
【０１０４】
図１１を用いて、この場合の処理動作を説明する。図１１の場合、印刷装置１１１とディジタルカメラ１３１では、優先順位を決定する基準としての優先項目が異なっている。すなわち、印刷装置１１１はデータ転送速度を優先項目として優先順位を定めているのに対し、ディジタルカメラ１３１では、セキュリティ度を優先項目として優先順位を定めている。
【０１０５】
このため、各機が指定する優先順位の１位と２位が異なっている。この場合、印刷装置１１１は、自機の優先順位を優先する。すなわち、優先順位が１位のワイヤレスＵＳＢインターフェースを画像データの送受信用の通信インターフェースに決定し、その旨を「インターフェース決定情報」としてディジタルカメラ１３１に通知する。
【０１０６】
図１２に、この様子を示す。図１２に示すように、両機のインターフェース情報が一致しない場合にも、画像データの送受信に使用する１つの通信インターフェースを確定することができる。
なお、この場合も、送信開始後のエラーの発生や実効転送速度の低下が起こり得る。
【０１０７】
また、異なる通信インターフェース間で同じ通信方式を使用する場合等も起こり得る。
この場合も、印刷装置１１１は、自機が定める優先順位を使用し、両機が共通に備える通信インターフェースのうち２番目に順位の高い通信インターフェース（図１１の場合、ＩｒＤＡインターフェース）を選択する。この選択結果は、やはり「インターフェース決定情報」としてディジタルカメラ１３１に通知される。その後、図１３に示すように、ＩｒＤＡインターフェースを用いて画像データの通信が開始される。
【０１０８】
（ｂ−２）送信側が通信用インターフェースを設定する場合
次に、画像データ（転送データ）の送信側であるディジタルカメラ１３１が通信インターフェースを設定し、受信側である印刷装置１１１に通知する場合について説明する。
【０１０９】
（１）通信用インターフェース相互設定装置の処理機能
図１４に、通信用インターフェース相互設定装置の機能構成例を示す。なお、同機能は、メインＣＰＵで実行されるコンピュータプログラム又は専用の回路デバイスを通じて実現される。
【０１１０】
通信用インターフェース相互設定装置１４１は、受信側インターフェース情報受信部１４３、共通インターフェース検出部１４５、通信用インターフェース設定部１４７で構成される。
受信側インターフェース情報受信部１４３は、印刷装置１１１のインターフェース情報（通信インターフェースの種類及び優先順位）を受信する処理デバイスである。
【０１１１】
なお、印刷装置１１１のインターフェース情報は、印刷装置１１１が自立的に通知する場合と、受信側インターフェース情報受信部１４３の要求に対する応答として通知される場合がある。
【０１１２】
この形態例の場合、ディジタルカメラ１３１は、印刷装置１１１に自機のインターフェース情報を送信する必要はないが、相互にインターフェース情報を交換するのを妨げるものではない。
【０１１３】
共通インターフェース検出部１４５は、印刷装置１１１で使用可能な通信インターフェースと自機で使用可能な通信インターフェースとを比較し、両機に共通する通信インターフェースを検出する処理デバイスである。なお、各機で使用可能な通信インターフェースは、それぞれ各機が搭載する記憶領域に格納されている。
【０１１４】
通信用インターフェース設定部１４７は、両機に共通する通信インターフェースの一つを転送データの通信用インターフェースに設定すると共に、当該通信インターフェースを受信側の印刷装置１１１に通知する処理デバイスである。
【０１１５】
なお、通信用インターフェースの設定に用いる優先順位は、受信側の優先順位のみを用いても良いし、送信側の優先順位だけを用いても良い。以下の形態例では、双方の優先順位が一致するように、最初に双方の優先順位を比較する手法を採用する。
【０１１６】
（２）両機の優先順位が一致する場合
ここでは、両機の優先順位が一致する場合について、転送データの送受信が開始されるまでの処理動作を説明する。なお、参考までに、印刷装置１１１が低消費電力モードから復帰される時点から説明する。
【０１１７】
この場合も、図１５に示すように、ディジタルカメラ１３１から印刷装置１１１に復帰信号が送信される。図１５の場合も、ディジタルカメラ１３１と印刷装置１１１の双方が共通の通信インターフェースを搭載している。搭載する通信インターフェースは、ワイヤレスＬＡＮインターフェース、ワイヤレスＵＳＢインターフェース及びＩｒＤＡインターフェースの３つである。
【０１１８】
図１５は、復帰信号の送受信に使用する通信インターフェースがワイヤレスＬＡＮインターフェースの場合の例である。ここでは、使用頻度情報に基づいて、ワイヤレスＬＡＮインターフェースが設定されているものとする。
【０１１９】
印刷装置１１１では、復帰信号の受信を検出した待機時用ＣＰＵ１１３によりメイン電源３が立ち上げられる。これにより、搭載する各種の通信インターフェースを用いた外部機器とのデータ通信が可能な状態となる。
【０１２０】
この時点で、画像データの送信を求めるディジタルカメラ１３１は、自機の備える通信インターフェースの種類に関する情報（すなわち、種類情報）と、通信インターフェースの優先順位に関する情報（すなわち、優先順位）とをテーブル化したインターフェース情報を印刷装置１１１に送信する。
【０１２１】
一方、印刷装置１１１は、受信したインターフェース情報の優先順位を自機の都合に合わせて付け直し、これを自機のインターフェース情報として、ディジタルカメラ１３１に送信する。図１６に、インターフェース情報の交換イメージを示す。
【０１２２】
もっとも、ディジタルカメラ１３１からインターフェース情報を受信しなくても、その要求に従い、自機に用意されているインターフェース情報を送信する仕組みを採用しても良い。
【０１２３】
図１６に示すように、このインターフェース情報の送信は、復帰信号の送信時と同じワイヤレスＬＡＮインターフェースを用いて実行される。
図１７に、インターフェース情報の構造例を示す。図１７に示すように、ディジタルカメラ１３１と印刷装置１１１が搭載する各通信インターフェースには、それぞれ同じ優先順位が付されている。
【０１２４】
なお、各機の優先順位を決定する優先項目は、「データ転送速度」のうちの「実効転送速度」に設定されている。従って、ワイヤレスＵＳＢインターフェース、ＩｒＤＡインターフェース、ワイヤレスＬＡＮインターフェースの順番に優先順位が付されている。
【０１２５】
印刷装置１１１のインターフェース情報を受信したディジタルカメラ１３１は、自機のインターフェース情報と比較して、両機が共通に備える通信インターフェースを検出する。次に、ディジタルカメラ１３１は、優先順位が高い通信インターフェースを比較し、データの送受信インターフェースに決定する。
【０１２６】
この形態例の場合、両機の優先順位情報が同じであるので、ワイヤレスＵＳＢインターフェースに決定される。なお、決定された通信インターフェースは、「インターフェース決定情報」として印刷装置１１１に通知される。図１８に示すように、この通知もワイヤレスＬＡＮインターフェースを用いて実行される。
【０１２７】
この後、図１９に示すように、ワイヤレスＵＳＢインターフェースを用いた画像データ（転送データ）の送受信がディジタルカメラ１３１と印刷装置１１１の間で実行される。
なお、このように設定された通信インターフェースを用いて通信を開始した後も、ワイヤレスＵＳＢインターフェースにエラーが発生する場合や通信が混雑して実効転送速度が上がらない場合が起こり得る。
【０１２８】
また例えば、図面とは一致しない事例であるが、復帰信号の送受信にＵＷＢ無線方式のブルートゥースインターフェースが選択されている場合に、画像データの送受信に使用する通信インターフェースとして同じＵＷＢ無線方式を用いるワイヤレスＵＳＢインターフェースが設定されることが起こり得る。
【０１２９】
このような場合、ディジタルカメラ１３１は、２番目に優先順位が高い別の通信インターフェースを用いるように通信設定を変更し、その情報を印刷装置１１１に通知する。
図２０に、この場合における通信動作を示す。
【０１３０】
図２０の場合、ディジタルカメラ１３１は、画像データの通信用インターフェースにＩｒＤＡインターフェースを自動的に設定する。この場合も、ディジタルカメラ１３１は、決定結果を「インターフェース決定情報」として印刷装置１１１に一方的に通知する。
【０１３１】
ここでの特徴点は、両機の間で改めてネゴシエーション処理を実行しなくても、初回時に交換したインターフェース情報を用いて設定処理を実行できる点である。
ネゴシエーション処理を繰り返さないので通信トラフィックを画像データの転送に多く割り当てることができ、実効転送速度を上げることができる。
また、ネゴシエーション処理を繰り返さない分、画像データの送受信開始までの時間を短縮することも可能になる。
（３）両機の優先順位が一致しない場合
次に、両機の優先順位が一致しない場合について、転送データの送受信が開始されるまでの処理動作を説明する。
この形態例の場合、自機（すなわち、ディジタルカメラ１３１）の優先順位を適用し、転送データの通信用インターフェースの設定処理を実行する。
【０１３２】
図２１を用いて、この場合の処理動作を説明する。図２１の場合、印刷装置１１１とディジタルカメラ１３１では、優先順位を決定する基準としての優先項目が異なっている。例えば印刷装置１１１では、データ転送速度を優先項目として優先順位を定めているのに対し、ディジタルカメラ１３１では、セキュリティ度を優先項目として優先順位を定めている。
【０１３３】
このため、各機が指定する優先順位の１位と２位が異なっている。この場合、ディジタルカメラ１３１は、自機の優先順位を優先する。すなわち、優先順位が１位のＩｒＤＡインターフェースを画像データの送受信用の通信インターフェースに決定し、その旨を「インターフェース決定情報」として印刷装置１１１に通知する。
【０１３４】
このように双方のインターフェース情報が一致しない場合にも、画像データの送受信に使用する１つの通信インターフェースを確定することができる。
図２２に、この様子を示す。図２２に示すように、両機のインターフェース情報が一致しない場合にも、画像データの送受信に使用する１つの通信インターフェースを確定することができる。
【０１３５】
なお、この場合も、送信開始後のエラーの発生や実効転送速度の低下が起こり得る。また、異なる通信インターフェース間で同じ通信方式を使用する場合等も起こり得る。
この場合も、ディジタルカメラ１３１は、自機が定める優先順位を使用し、両機が共通に備える通信インターフェースのうち２番目に順位の高い通信インターフェース（図２１の場合、ワイヤレスＵＳＢインターフェース）を選択する。
【０１３６】
この選択結果は、やはり「インターフェース決定情報」として印刷装置１１１に通知される。その後、図２３に示すように、ワイヤレスＵＳＢインターフェースを用いて画像データの通信が開始される。
【０１３７】
（ｂ−３）ユーザーによる設定
ここでは、画像データ（転送データ）の通信用インターフェースを、ユーザーの設定に基づいて実行する場合について説明する。
【０１３８】
この形態例の場合、通信用インターフェースの設定に使用する優先順位は、ユーザー自身が自らの使い勝手等に基づいて設定されることになる。
例えば図２４に示すシステムを例に説明する。
【０１３９】
図２４の場合、印刷装置１１１、スキャナ１５１及びコンピュータ１５３がワイヤレスＬＡＮ経由でネットワークを構成する。一方、印刷装置１１１とスキャナ１５１は、ワイヤレスＵＳＢインターフェースを用いた直接通信が可能である。
【０１４０】
このような場合、低消費電力モード中の通信インターフェースには、ワイヤレスＬＡＮが選択される。ワイヤレスＬＡＮは全ての機器に共通する通信インターフェースであるので、いずれの機器からでも直接又は間接的に復帰信号やインターフェース情報を通知するのに好適である。
【０１４１】
一方、データ転送速度の観点では、ワイヤレスＵＳＢインターフェースがワイヤレスＬＡＮインターフェースよりも速い。そこで、印刷時間を優先するユーザーの場合には、画像データ（転送データ）の通信用インターフェースとして、ワイヤレスＵＳＢインターフェースの優先順位をワイヤレスＬＡＮインターフェースの優先順位よりも上位に設定することができる。
【０１４２】
この場合、印刷装置１１１とスキャナ１５１は、ワイヤレスＵＳＢインターフェースを通じてデータ転送を行う旨のネゴシエーションを画像データの送受信を開始する前に実行する。勿論、優先順位の設定はユーザーの任意であるので、ワイヤレスＬＡＮを通じて画像データ（転送データ）の送受信が実行されるように設定することもできる。
【０１４３】
図２５に示すシステム例の場合も同様である。図２５の場合、印刷装置１１１、ディジタルカメラ１３１、スキャナ１５１、コンピュータ１５３、携帯電話機１５５及び携帯型音楽再生機１５７が Bluetoothインターフェース経由でネットワークを構成する。一方、印刷装置１１１とディジタルカメラ１３１は、ワイヤレスＵＳＢインターフェースを用いた直接通信が可能である。
【０１４４】
この場合、低消費電力モード中の通信インターフェースには、Bluetoothインターフェースが選択される。 Bluetoothインターフェースは、全ての機器に共通する通信インターフェースであるので、いずれの機器からでも直接又は間接的に復帰信号やインターフェース情報を通知するのに好適である。
【０１４５】
一方、データ転送速度の観点では、ワイヤレスＵＳＢインターフェースが
Bluetoothインターフェースよりも速い。そこで、印刷時間を優先するユーザーの場合には、画像データ（転送データ）の送受信に使用する通信インターフェースとして、ワイヤレスＵＳＢインターフェースの優先順位を Bluetoothインターフェースの優先順位よりも上位に設定することができる。
【０１４６】
この場合、印刷装置１１１とディジタルカメラ１３１は、ワイヤレスＵＳＢインターフェースを通じてデータ転送を行う旨のネゴシエーションを画像データの送受信を開始する前に実行する。勿論、優先順位の設定はユーザーの任意であるので、 Bluetoothを通じて画像データ（転送データ）の送受信が実行されるように設定することもできる。
【０１４７】
なお、図２４や図２５の例とは異なり、多くの通信インターフェースを搭載する昨今の電子機器においては、ユーザーが優先順位を任意に設定できることでユーザーの使い勝手を向上することができる。
【０１４８】
（Ａ−４）２種類以上の通信インターフェースを経由した通信用インターフェースの相互設定
前述の説明では、送信先である電子機器が復帰信号やインターフェース情報の受信用に設定した通信インターフェースを、送信元の電子機器で使用可能な場合について説明した。
【０１４９】
しかし、図２６に示すように、送信先である電子機器が復帰信号やインターフェース情報の受信用に設定した通信インターフェースを、送信元の電子機器で使用できない場合も想定される。
例えば図２６の場合、印刷装置１１１は、復帰信号やインターフェース情報の受信用にＵＳＢインターフェースを設定している。
【０１５０】
しかし、ディジタルカメラ１３１と印刷装置１１１とは、ＵＳＢインターフェース経由で接続されていない。このような場合、印刷装置１１１とＵＳＢインターフェース経由で接続されると共に、ディジタルカメラ１３１とも通信可能な第３の機器（ここでは、コンピュータ１５３）の存在が必要になる。
【０１５１】
勿論、このような電子機器が常に存在する保証はない。しかし、ここでは送信元と送信先の両機とそれぞれ異なる通信インターフェースを通じて通信可能なコンピュータ１５３が存在するものとして説明する。
【０１５２】
図２６の場合、ディジタルカメラ１３１の復帰信号は、ワイヤレスＵＳＢインターフェース経由でコンピュータ１５３に通知される。コンピュータ１５３は、この復帰信号をＵＳＢインターフェース経由で印刷装置１１１に転送する。
【０１５３】
このコンピュータ１５３の中継処理を経て、印刷装置１１１は、低消費電力モードから復帰し、ＩｒＤＡインターフェースを起動する。
また、同じ経路を経て、ディジタルカメラ１３１から印刷装置１１１に、インターフェース情報が通知される。
【０１５４】
印刷装置１１１は、受信したインターフェース情報と自機のインターフェース情報とを比較し、両機に共通するデータ転送用の通信インターフェースとしてＩｒＤＡインターフェースを選択する。その後、印刷装置１１１は、データ転送用の通信インターフェースとしてＩｒＤＡインターフェースを使用する旨をコンピュータ１５３経由でディジタルカメラ１３１に通知する。
【０１５５】
この後、ディジタルカメラ１３１での通信インターフェースの設定が完了すると、ディジタルカメラ１３１と印刷装置１１１間で画像データ（転送データ）の直接通信が開始される。
【０１５６】
（Ｃ）他の形態例
（Ｃ−１）インターフェース情報の送信
前述のシステム例では、送信側の電子機器と受信側の電子機器とが双方向通信可能な場合について説明した。この場合、送信側と受信側がインターフェース情報を交換することができる。よって、送信側でも受信側でも転送データ用の通信インターフェースを設定することができる。
【０１５７】
しかし、一方向通信しかできない通信インターフェースしか送信側の電子機器が使用できない場合には、受信側の電子機器は必然的に送信側の電子機器が指定した通信用インターフェースを設定することになる。
【０１５８】
例えば赤外線リモコンインターフェースが復帰信号の受信用の通信インターフェースに設定される場合等である。赤外線リモコンインターフェースは、消費電力が少ないので、消費電力の削減を優先する場合に選択される可能性が高い。
【０１５９】
このような場合、受信側である印刷装置１１１が送信側であるディジタルカメラ等のインターフェース情報を受信し、自機のインターフェース情報との比較を通じて転送データ用の通信インターフェースを設定する。
【０１６０】
（Ｃ−２）受信装置
なお、前述の説明では、印刷装置１１１が転送データの受信側となる場合について説明した。
しかし、送信側の電子機器と受信側の電子機器の組み合わせは任意である。
【０１６１】
（Ｃ−３）インターフェース情報の送信タイミング
前述の説明では、低消費電力モードからの復帰処理に連動して画像データ（転送データ）の送受信が開始される場合を想定した。
【０１６２】
このため、復帰用に確保された通信インターフェースを用いてインターフェース情報を交換又は送信する場合について説明した。
しかし、既に起動している電子機器との間で転送データの送受信を開始する場合にも広く適用できる。
【０１６３】
（Ｃ−４）転送データ
前述の説明では、画像データを転送する場合について説明した。
しかし、音声データ、２値データその他を転送する場合に適用できる。
【０１６４】
（Ｃ−５）他のハードウェアインターフェース
前述の形態例においては、Ethernet（登録商標）インターフェース、ＵＳＢインターフェース、ワイヤレスＵＳＢインターフェース、ＩｒＤＡインターフェース、赤外線リモコンインターフェース、
Bluetoothインターフェース及びワイヤレスＬＡＮインターフェースを例示した。しかし、これ以外のハードウェアインターフェースを使用することもできる。例えばＩＥＥＥ１３９４インターフェースを利用することも可能である。
【０１６５】
（Ｃ−６）他の電子機器
前述の説明では、印刷装置１１１の外観がオフィスや家庭内で使用される汎用型の装置を例示したが、店頭その他に配置されるキオスク型の装置にも適用できる。
また、ディジタルカメラ、スキャナその他の電子機器を例示したが、これら以外の様々な電子機器に使用することができる。
【０１６６】
例えばテレビジョン受像機、モニター装置、ビデオカメラ、ＡＶストレージ機器、ゲーム機、携帯電話機、空調機、その他の電子機器に広く応用可能である。
【０１６７】
（Ｃ−７）その他
前述の形態例には、発明の趣旨の範囲内で様々な変形例が考えられる。また、本明細書の記載に基づいて創作される又は組み合わせられる各種の変形例及び応用例も考えられる。
【図面の簡単な説明】
【０１６８】
【図１】低消費電力モード中に電力が供給される回路範囲を例示する図である（従来例）。
【図２】通常動作モード中に電力が供給される回路範囲を例示する図である。
【図３】低消費電力モード中に電力が供給される回路範囲を例示する図である（形態例）
【図４】通信用インターフェース相互設定装置の機能構成例を示す図である（受信側への搭載例）。
【図５】復帰信号の送信経路を示す図である。
【図６】インターフェース情報の送信経路を示す図である。
【図７】インターフェース情報の構造例を示す図である。
【図８】インターフェース決定情報の送信経路を示す図である。
【図９】画像データの転送経路を示す図である。
【図１０】優先順位が２位の通信インターフェースを用いる場合の画像データの転送経路例を示す図である。
【図１１】インターフェース情報の構造例が送信側と受信側で一致しない場合を示す図である。
【図１２】優先順位が一致しない場合の画像データの転送経路例を示す図である。
【図１３】画像データの転送経路を示す図である。
【図１４】通信用インターフェース相互設定装置の機能構成例を示す図である（送信側への搭載例）。
【図１５】復帰信号の送信経路を示す図である。
【図１６】インターフェース情報の送信経路を示す図である。
【図１７】インターフェース情報の構造例を示す図である。
【図１８】インターフェース決定情報の送信経路を示す図である。
【図１９】優先順位が１位の通信インターフェースを用いる場合の画像データの転送経路例を示す図である。
【図２０】優先順位が２位の通信インターフェースを用いる場合の画像データの転送経路例を示す図である。
【図２１】インターフェース情報の構造例が送信側と受信側で一致しない場合を示す図である。
【図２２】優先順位が１位の通信インターフェースを用いる場合の画像データの転送経路例を示す図である。
【図２３】優先順位が２位の通信インターフェースを用いる場合の画像データの転送経路例を示す図である。
【図２４】ネットワークシステムでの転送例を示す図である。
【図２５】ネットワークシステムでの転送例を示す図である。
【図２６】中継装置を用いてインターフェース情報の通知手法を説明する図である。
【符号の説明】
【０１６９】
１２１      通信用インターフェース相互設定装置
１２３      送信側インターフェース情報受信部
１２５      共通インターフェース検出部
１２７      通信用インターフェース設定部
１４１      通信用インターフェース相互設定装置
１４３      受信側インターフェース情報受信部
１４５      共通インターフェース検出部
１４７      通信用インターフェース設定部
【図１】
2008204210.tif 000003
【図２】
2008204210.tif 000004
【図３】
2008204210.tif 000005
【図４】
2008204210.tif 000006
【図５】
2008204210.tif 000007
【図６】
2008204210.tif 000008
【図７】
2008204210.tif 000009
【図８】
2008204210.tif 000010
【図９】
2008204210.tif 000011
【図１０】
2008204210.tif 000012
【図１１】
2008204210.tif 000013
【図１２】
2008204210.tif 000014
【図１３】
2008204210.tif 000015
【図１４】
2008204210.tif 000016
【図１５】
2008204210.tif 000017
【図１６】
2008204210.tif 000018
【図１７】
2008204210.tif 000019
【図１８】
2008204210.tif 000020
【図１９】
2008204210.tif 000021
【図２０】
2008204210.tif 000022
【図２１】
2008204210.tif 000023
【図２２】
2008204210.tif 000024
【図２３】
2008204210.tif 000025
【図２４】
2008204210.tif 000026
【図２５】
2008204210.tif 000027
【図２６】
2008204210.tif 000028